(57)【要約】      （修正有）【課題】扉付きの収納キャビネット内の保管物に添付された非接触ＩＣタグの認識率を費用を抑えて大幅に向上させることと、書類を頻繁に出し入れしても人手を介さずに自動的にキャビネット内にどのような書類が保管されているかを任意の時点で把握することと、扉開閉者を特定し、だれが前記保管物の出し入れを行ったかを半自動的に管理することである。【解決手段】キャビネット内において、保管物情報が記憶された非接触ＩＣタグを、全て前記キャビネット扉裏面に対向して保管物に装着し、キャビネット扉裏面に装着されたキャビネット内部認識用アンテナでＩＣタグ情報の読み出しを可能としたことで、認識率の向上が可能となり、生産コスト及び取り付けコストをも低減化することができ、キャビネット内の保管状況を自動的に把握することができる。又、ＩＤカードを、認識用アンテナにかざすことで、だれが保管物の出し入れを行ったかを半自動的に管理する。【選択図】図１
2005041682.tif 000002
【特許請求の範囲】
【請求項１】
複数の書類保管箱や書類バインダーや書籍や物品保管箱や物品が保管物として保管される扉付き収納キャビネットにおいて、前記保管物に装着された、前記保管物を特定することができる識別情報が記憶された非接触ＩＣタグとの間で、非接触方式でデータの送受信が可能な通信装置を前記収納キャビネットに備えた、非接触ＩＣタグを利用した扉付き収納キャビネット。
【請求項２】
前記キャビネット内に保管された前記保管物に装着された前記非接触ＩＣタグの読み取りや、書き込み情報をコンピュータと通信することで、前記キャビネット内に保管されている前記保管物をコンピュータで自動的に保管物管理可能な、請求項１記載の収納キャビネット
【請求項３】
前記キャビネットにおいて、前記キャビネット扉の開閉者を特定するための識別情報が記憶された非接触ＩＣタグが内蔵されたＩＤカードとの間で、非接触方式でデータの送受信が可能な通信装置を前記収納キャビネットに備えた請求項１記載の収納キャビネット。
【請求項４】
前記キャビネットにおいて、前記扉が閉じた状態で前記扉を開く直前に、前記ＩＤカードを前記通信装置にかざすことで前記ＩＤカードを認識することにより、前記扉開閉者を特定し、前記ＩＤカードを読み取った直後に認識された前記キャビネット内で保管物管理された前記保管物の情報と、前記扉が開かれ、再び前記扉が閉じられた直後に認識された前記情報と、前記にて特定された扉開閉者情報をコンピュータと通信することで、前記にて特定された扉開閉者が、前記キャビネット内で保管物管理された前記保管物に増減を行っていないか、コンピュータで自動的に保管物管理可能な非接触ＩＣタグを利用した請求項１記載の収納キャビネット。
【請求項５】
前記キャビネットにおいて、請求項１記載の通信装置は、前記保管物に前記扉が閉じた状態の扉裏面に対向して装着された、前記保管物を特定することができる識別情報が記憶された非接触ＩＣタグとの間で、非接触方式でデータの送受信が前記扉を閉じた状態で扉裏面からキャビネット内部に対して可能な、キャビネット内部認識用アンテナとアンテナとの通信制御を行う通信制御装置であり、前記アンテナは前記収納キャビネット扉に装着し、前記通信制御装置は前記扉又はキャビネット内部又は外部に装着し、前記扉は、扉前面方向に前記アンテナからの電波を伝えない電磁波シールド材を装着又は、電磁波シールド材で構成された、請求項１記載の収納キャビネット。
【請求項６】
前記キャビネットにおいて、請求項３記載の通信装置は、前記扉が閉じた状態で前記扉を開く時にかざす前記ＩＤカードとの間で、非接触方式でデータの送受信が前記扉を閉じた状態で扉前面からキャビネット前部に対して可能なＩＤカード認識用アンテナとアンテナとの通信制御を行う通信制御装置であり、前記アンテナは前記収納キャビネット扉に装着し、前記通信制御装置は、前記扉又はキャビネット内部又は外部に装着し、前記扉は、扉裏面方向に前記アンテナからの電波を伝えない電磁波シールド材を装着又は、電磁波シールド材で構成された、請求項１記載の収納キャビネット。
【請求項７】
前記キャビネットにおいて、前記扉が閉じた状態で前記扉を開く時に、前記ＩＤカードを前記ＩＤカード認識用アンテナから読み取って扉が開けられた場合は、正常認識の識別音を前記扉から発し、前記ＩＤカードを前記ＩＤカード認識用アンテナから読みとらずに扉が開けられた場合は、異常認識の音を前記扉から発する前記通信制御装置からの認識情報を利用し、自ら情報処理機能を持つ識別音発生装置が、前記収納キャビネット扉に装着された請求項１記載の収納キャビネット。
【請求項８】
前記扉が閉まった状態では、前記扉に装着された前記キャビネット内部認識用アンテナより認識可能で、前記扉が開かれた状態では、認識不能となる通信距離が短く、指向性の強いキャビネットを特定することができる識別情報を記憶した非接触ＩＣタグによる、扉開閉識別及びキャビネット識別用ＩＣタグが装着された請求項１記載の収納キャビネット。
【請求項９】
前記キャビネットにおいて、前記キャビネット扉裏面の素材は、前記キャビネット内部認識用アンテナで送受信される電波を吸収又は遮断しない素材で構成されたものとし、前記扉前面の一部分は、前記ＩＤカード認識用アンテナで送受信される電波を吸収又は遮断しない素材で構成され、前記以外は鋼板製又は、電波を遮断もしくは吸収可能な素材を利用又は装着した、請求項１記載の収納キャビネット。
【請求項１０】
前記キャビネット内部認識用アンテナから読みとられた、前記保管物を特定することができる識別情報と、扉開閉識別及びキャビネット識別用ＩＣタグ情報をコンピュータを利用して関連付け、複数の前記キャビネットがどのビルのどのフロアーのどの位置にあるかを示すキャビネット配置フロアー図面をコンピュータに記憶しておくことで、コンピュータから表示される前記フロアー図面上に各キャビネットの保管物の情報を表示し、又は、前記保管物を特定できる情報をコンピュータに入力することで、特定する保管物がどのキャビネットに保管されているかを検索及び、コンピュータ上のフロアー図面で表示するシステム。
【請求項１１】
前記キャビネットにおいて、前記扉が閉じた状態で前記扉を開く直前に前記ＩＤカードを前記ＩＤカード認識用アンテナにかざすことで、前記ＩＤカードを認識することにより前記扉開閉者を特定し、前記ＩＤカードを読み取った直後に認識された前記キャビネット内で保管物管理された前記保管物の情報と、前記扉が開かれ、再び前記扉が閉じられた直後に認識された前記情報と前記にて特定された扉開閉者情報をコンピュータと通信することで、前記にて特定された扉開閉者が、前記キャビネット内で保管物管理された前記保管物に増減を行っていないか、コンピュータで自動的に保管物の出し入れを管理するシステム。
【請求項１２】
前記キャビネットにおいて、前記保管物に装着された非接触ＩＣタグと前記扉に装着された前記キャビネット内部認識用アンテナとの通信効率の向上を図る為、保管物のタイトル、概要等が記入された前記保管物の１面を扉裏面に対向して向けられて保管されることを利用し、その１面に非接触ＩＣタグを装着することにより、運用面での非接触ＩＣタグの読み取り効率を向上させる方法。
【請求項１３】
非接触ＩＣタグとの通信用アンテナと通信制御装置と電磁波シールド材又は、アンテナと電磁波シールド材がパネル状又はシート状に形成され、コンピュータと有線又は無線で電気的に繋ぐことができるキャビネットに対し、取り付け可能な通信装置。
【発明の詳細な説明】
【技術分野】
【０００１】本発明は、扉付きの収納キャビネット内に保管された非接触ＩＣタグが装着された保管物と扉開閉者を特定可能なＩＤカードを、キャビネット扉に装着されたアンテナやアンテナとの通信制御を行う通信制御装置を用いて認識し、コンピュータにより一括で保管物管理を行える、扉付き収納キャビネットに関するものである。
【背景技術】
【０００２】従来、収納キャビネット内の複数の書類保管箱や書類バインダーや書籍や物品保管箱や物品が保管物として保管され、その管理を行う場合は、どのキャビネットにどのような保管物が保管されているか及び、だれがどのような保管物を出し入れしたかなどをコンピュータの管理システムや、管理簿に手作業で入力又は記入することにより管理を行っていた。また、保管物をキャビネットから出し入れした場合、管理責任者などを配置し、管理簿やコンピュータの管理システムに常に記入や入力を、保管物移動の都度必ず行わないと、管理簿の価値が著しく低下し管理の維持を行うことができなくなる場合がある。【０００３】しかしながら従来の技術では、管理責任者を配置し、人手を掛けて直接キャビネットの監視を行ったりして、保管物の出し入れの確認を行い、常にコンピュータや管理簿への出し入れの履歴を入力、又は記入しなくてはならず、多大な稼働を必要としていた。従って現実的に管理簿を維持することが非常に難しかった。【０００４】また従来の非接触ＩＣタグを利用した管理では、書類自身にタグを装着するものがあるが、非接触ＩＣタグの数量が多大となり費用的に難しく、又、非接触ＩＣタグを読み取る為のハンディー端末についても人手を介して読み取りを行わなくてはならず自動的に管理することができなかった。【０００５】更に収納キャビネット自身へのアンテナの装着についてはアンテナからの電波が他のシステムに影響を与えたり、キャビネットの外にある非接触ＩＣタグを認識してしまう場合があり、又いろいろな位置に非接触ＩＣタグを装着すると非接触ＩＣタグの認識率が低下し、信頼性を得ることができなかった。従って低コストで高い認識率をもって特定の非接触ＩＣタグを読み取ることが難しく、又キャビネットからの出し入れ者を特定したりすることがキャビネット自身でできなかったり、既存のキャビネットに簡単に非接触ＩＣタグの認識用アンテナを装着することができなかった。
【発明の開示】
【発明が解決しようとする課題】
【０００６】本発明の課題は、収納キャビネット内の保管物に添付された非接触ＩＣタグの認識率を費用を抑えて大幅に向上させることと、保管物を頻繁に出し入れしても人手を介さずに自動的に個々のキャビネット内にどのような保管物が保管されているかを任意の時点で把握することと、扉開閉者を特定し、だれが保管物の出し入れを行ったかを半自動的に管理することである。【０００７】特にキャビネット内の非接触ＩＣタグの認識率の向上を図るための非接触ＩＣタグとデータの送受信を行うアンテナ位置や方向や数量に関しては、キャビネットの上面又は下面及び左側面又は右側面及び背面又は前面の３方面にアンテナを装着する方法があった。しかしながら大幅な認識率の向上が望めないにもかかわらずキャビネットの生産コスト及び取り付けコストが非常に高価となることが判明した。更に他システムへの電波の影響を無くしたり、キャビネットの外にある保管物の非接触ＩＣタグを認識しないようにしなくてはならない。
【課題を解決するための手段】
【０００８】本発明は、図１に示すような扉付き収納キャビネットにおいて、保管物を特定することができる識別情報が記憶された非接触ＩＣタグを、キャビネット扉が閉じられた状態で全てキャビネット扉裏面に対向して保管物に装着し、前記対向して装着された非接触ＩＣタグをキャビネット扉裏面に装着された１個又は、図１に示すような観音開き扉や引き戸型キャビネット扉（図示せず）の場合は、左右２個又は、広指向性のアンテナを利用する場合は１個の請求項５記載のキャビネット内部認識用アンテナで、個別に読み出し書き込みを可能としたことで、認識率の向上が可能となり、生産コスト及び取り付けコストをも低減化することができ、同様に請求項８記載の扉開閉識別及びキャビネット識別用非接触ＩＣタグをよみとることで、任意の時点で、どのキャビネットにどのような保管物があるか、キャビネット内の保管状況を自動的に把握することができる。【０００９】又、キャビネット扉を開く時に、扉の開閉者を特定するための識別情報が記憶された非接触ＩＣタグが内蔵されたＩＤカードを、請求項６記載のＩＤカード認識用アンテナにかざすことで、キャビネット扉の開閉者を特定し、キャビネット扉を開く直前及び閉じた直後に認識されたキャビネット内の保管物の差異を前記特定された扉開閉者が行った行為とすることで、だれが保管物の出し入れを行ったかを半自動的に管理可能とする。【００１０】更に、扉開閉者を特定するためのＩＤカードを、請求項６記載のＩＤカード認識用アンテナにかざす行為を支援するために、ＩＤカード認識用アンテナを介してＩＤカードを読み取って扉が開けられた場合は、正常認識の識別音を発し、ＩＤカードをＩＤカード認識用アンテナを介して読みとらず扉が開かれた場合は、異常認識の音を発し、扉開閉者の注意を喚起する。又同時にコンピュータで認識された請求項８で記載された扉開閉識別情報と前記にて認識されたＩＤカード情報とをもって遠隔のコンピュータで正常、異常の監視を可能とする。【００１１】キャビネットにおいて、扉裏面の素材及び扉前面の一部分は、アンテナで送受信される電波を吸収又は遮断しない素材で構成され、前記以外は鋼板製又は、電波を遮断もしくは吸収可能な素材を利用又は装着し認識してはならない非接触ＩＣタグの認識を行わないようにした。【００１２】更にキャビネット配置フロアー図面をコンピュータに記憶されておくことで、コンピュータから表示されるフロアー図面上に各キャビネットの保管物の情報を表示し、又は、保管物を特定できる情報をコンピュータに入力することで、特定された保管物がどのキャビネットに保管されているかをコンピュータ上のフロアー図面で表示が可能となる。【００１３】読み取り効率を向上させる方法としては保管物のタイトル、概要等が記入された保管物の１面を扉裏面に対向して向けられて保管されることを利用し、その１面に非接触ＩＣタグを装着することにより実現することができる。【００１４】非接触ＩＣタグとの通信用アンテナや、通信制御装置や電磁波シールド材がパネル状又はシート状に形成され、コンピュータと有線又は無線で電気的に繋ぐことができるキャビネットに対し、取り付け及び取り外し可能な通信装置も利用可能とする。
【発明の効果】
【００１５】本扉付き収納キャビネットの効果としては、保管物の概要等を記憶させた非接触ＩＣタグを装着して当該非接触ＩＣタグの装着面をキャビネット扉裏面に対向して保管しておけば特に管理者を置くこと無くどこにどのような保管物が保管されているかを自動的に任意の時点で保管物表示が可能となる。又、保管物の出し入れの管理についてもＩＤカード認識用アンテナを扉に装着することにより特に出し入れの管理者を置くことなく、半自動的にだれがどのような保管物を出し入れしたかが分かる効果がある。【００１６】次にキャビネット内の非接触ＩＣタグの認識率の向上については、非接触ＩＣタグの装着面を扉裏面に対向することにより扉に１方向にアンテナを装着するだけで読み取り効率の向上が実現でき、更にほとんどの場合において保管物の背表紙又は、１面にタイトル、概要等を記入してキャビネットに保管されるが、保管物は、キャビネット内での目視検索の効率上、常にタイトル、概要等が記入された１面を扉裏面に対向してむけられて保管されることを利用し、その１面に非接触ＩＣタグを装着することにより、運用面で特に意識をすることなく非接触ＩＣタグの読み取り効率を飛躍的に向上させることができる。又キャビネットの素材を考慮したことにより、他システムへの電波の影響を無くしたり、キャビネットの外にあるＩＤカード以外の非接触ＩＣタグを認識しないようにすることが可能となる。一方着脱式の通信装置を利用すれば任意の場所に通信装置を装着することができ、既存のキャビネットへも後付することが可能である。
【発明を実施するための最良の形態】
【００１７】以下に本発明の実施の形態を図面に基づいて説明をする。尚、以下の実施の形態は本発明を具体化した一例であり、本発明の技術的範囲を限定するものではない。【００１８】本発明では、図１に示すように扉付き収納キャビネット内に保管された各保管物２ａ、２ｂ、２ｃのタイトルが記入されている一面に、キャビネット扉裏面に対向する向きで非接触ＩＣタグ３ａ、３ｂ、３ｃが装着されている。【００１９】これらの保管物添付用の非接触ＩＣタグは、電波により、非接触で読み取り、書き込みが可能なデバイスで、図１の１２に示されたキャビネット内部認識用アンテナから発せられた質問電波を受信して駆動用電力に変換し、又、質問電波を受信し、応答電波を返信するときの送受信用アンテナとこれら一連の処理を行うＩＣが図４のように樹脂基板上に形成されたものである。又前記樹脂基板に限らずアンテナやＩＣを含む一連の回路が形成できるものであればよい。【００２０】これらの保管物添付用の非接触ＩＣタグは、あらかじめ固有のＩＤ番号が記憶されていて、更に保管物に添付する場合は、保管物の内容が識別できる情報が非接触ＩＣタグ情報書き込み機又は、請求項１記載の収納キャビネットで記憶されている。更に非接触ＩＣタグ個々には目視できるように前記ＩＤ番号が印刷されている。又、非接触ＩＣタグ裏面に粘着材を塗布することにより保管物に貼り付けることも可能である。【００２１】キャビネットは、オフィスのフロアーの壁面に取り付け可能であったり、自立してフロアー上に設置されたりし、図２のように複数を横一列に設置したり、上下２段もしくは複数段の設置も可能で、これら全てのキャビネット及び他フロアー又は、他ビルの別の場所に設置されたキャビネットであっても有線又は、無線でコンピュータに信号を送ることで、全て一括で管理することができる。又各キャビネットには通信制御装置や識別音発生装置を駆動するための電力が有線で送られている。【００２２】又、キャビネットにおいてキャビネット扉は、図１に示すように左右に扉が付いたものあるいは、１枚扉（図示せず）や引き戸（図示せず）や引き出し（図示せず）やシート状（図示せず）やシャッター状（図示せず）のもので、キャビネット開口部を覆えるものであれば良い。又キャビネットはキャビネット扉及び引き出しにおける前板以外は全て電波を吸収又は遮断する素材で構成もしくは、吸収又は遮断する素材でシールドされた物である。更に、扉部分以外に開口部が無いか、ある場合でも電磁波シールド材で覆われている。【００２３】次に、キャビネット扉は、図３に示すように多重構造とし、収納キャビネット扉裏面部品１１ｂの素材は、キャビネット内部認識用アンテナ１２からの電波を吸収又は遮断しない素材で構成され、１１ｃは、アンテナ１２の電波を扉前面方向に対して遮断し、アンテナ１３の電波を扉裏面方向に対して遮断する電磁波シールド材とし、キャビネット扉前面の一部分であるＩＤカード認識用アンテナ前面部品１８はキャビネット扉前面に装着されたＩＤカード認識用アンテナ１３で送受信される電波を吸収又は、遮断しない素材で構成され、識別音発生装置１９と併せて収納キャビネット扉前面部品１１ａに装着されている。この場合、識別音発生装置１９と通信制御装置１５を一体としたものを装着することも可能である。又、収納キャビネット扉前面部品１１ａは、鋼板製又は、電波を吸収やは遮断する素材で構成もしくは、吸収や遮断する素材でシールドされた物である。【００２４】これにより、キャビネット外にある保管物装着の非接触ＩＣタグや認識してはならない非接触ＩＣタグの認識を防止することができる。一方アンテナや通信制御装置部分や電磁波シールド材をパネル状又は、シート状に形成された通信装置を利用すれば、簡易に既存収納キャビネットなどに取り付けをすることができる。又取り付けについては、粘着材や、ねじ止めや、はめ込みや、磁石や、吸盤などの取り付け器具での装着が考えられる。【００２５】図１に示すキャビネット内には、扉開閉識別兼キャビネット識別用非接触ＩＣタグ１４が扉裏面に対向して取り付けられている。又キャビネット内の保管物は、全てキャビネット扉裏面に対向した非接触ＩＣタグを取り付け可能な面を持ったものとし、これらの保管物を特定又は表現可能な情報があらかじめ記憶された非接触ＩＣタグが前記取り付け可能な面に装着されている。【００２６】図５は本実施の形態で用いる非接触ＩＣタグとの通信の方法の全体を示したブロック図である。図中左下側にはキャビネット側の読み取り、書き込み制御装置である通信制御装置１５があり、キャビネット管理を行うコンピュータ１６があり、通信制御装置及び識別音発生装置１９に対して電源を供給する電源ユニット２０がある。又同じく右側に各保管物に装着される非接触ＩＣタグ３ａ、３ｂ、３ｃ及び扉開閉識別兼キャビネット識別用ＩＣタグ１４があり、左側には非接触ＩＣタグが内蔵されたＩＤカード１７があり、各非接触ＩＣタグとはキャビネット内部認識用アンテナ１２又は、ＩＤカード認識用アンテナ１３を介して通信を行う。又アンテナ１２及び１３の間には電磁波シールド材１１Ｃがある。【００２７】図１のキャビネットにおいて図５のブロック図で説明すると、通信制御装置から微小間隔で発せられた質問信号は、アンテナ１２、１３を介してキャビネット内の保管物に装着された非接触ＩＣタグ３ａ、３ｂ、３ｃ及び扉開閉識別兼キャビネット識別用ＩＣタグ１４と、非接触ＩＣタグが内蔵されたＩＤカード１７を読みに行く。【００２８】まず、キャビネット内の保管物の認識について、扉が閉じた状態で扉開閉識別兼キャビネット識別用ＩＣタグ１４を認識し、この情報を送信されたコンピュータがキャビネット扉が閉じられていると判断した場合において、保管物に装着された非接触ＩＣタグ３ａ、３ｂ、３ｃの内容と、キャビネット識別情報が記憶されている扉開閉識別兼キャビネット識別用ＩＣタグ１４とを読み取り、アンテナ１２及び通信制御装置を介して認識された信号が返却される。この信号は、コンピュータが識別可能なデータに通信制御装置内で変換されコンピュータ１６に送信される。【００２９】一方前記のデータを受信したコンピュータ側では、認識された保管物情報と扉開閉識別兼キャビネット識別用ＩＣタグ１４のキャビネット識別情報とを関連付け、どのような保管物がどのキャビネットに保管されているかを表示する。さらにキャビネットが設置されているフロアー図がコンピュータに記憶されている場合で、事前にキャビネット識別情報とフロアー図面とをコンピュータ内で関連付けておくことにより、保管物が保管されているキャビネットの設置位置もフロアー図に表示することが可能となる。【００３０】更に、コンピュータに保管物を特定するためのキーワードを入力することによりキャビネット内で認識されている全ての保管物に対して指定する保管物がどのキャビネットに存在するかを検索・表示することができる。【００３１】次に、キャビネット内の保管物の出し入れの管理について図６、図７のフローチャートに従って説明すると、まずキャビネット内部認識用アンテナ１２により、扉開閉識別兼キャビネット識別用ＩＣタグ１４を認識し、コンピュータがキャビネット扉閉と判断した場合において、非接触ＩＣタグが内蔵されたＩＤカード１７をＩＤカード認識用アンテナ１３を介して認識された場合は、ＩＤカード認識情報が通信制御装置を介してコンピュータに送られると同時にキャビネット内に保管されている前記にて認識されている保管物情報も、コンピュータに送信され、コンピュータは、扉開直前データとして内容を記憶して正常識別音を識別音発生装置から鳴動させる。この場合、ＩＤカードを認識せずに扉が開かれた場合は、異常識別の音を発し、扉開閉者の注意を喚起すると同時にコンピュータで認識された請求項８で記載された扉開閉識別情報とＩＤカードが認識されなかったことをもって遠隔のコンピュータで異常の表示を行う。【００３２】更に厳重な管理システムとして扉錠と連動し、前記識別信号を利用し、扉錠の開閉を行うことも可能である。又、一つの閉じられた空間に管理対象となるキャビネットが設置されている場合、空間への入退出時のみＩＤカード認識を行い、個々のキャビネット扉開閉時は、ＩＤカードを認識させないことも可能である。この場合各キャビネット扉のＩＤカード認識用アンテナは、不要となる。【００３３】次にＩＤカードを認識してキャビネット扉が開かれた場合には、扉開閉識別タグ１４を認識しなくなり、この認識をしなくなったという情報をコンピュータは、扉開として判断し、通信制御装置に質問信号長間隔化などの電波発射抑制を行う。又、この場合キャビネット扉にスイッチを設け、質問電波を中断することも可能である。【００３４】その後ＩＤカードで特定された扉開閉者がキャビネットに対して出し入れを実行した場合も実行しなかった場合も同じフローチャートとなる。【００３５】次に再び扉が閉じられて、扉開閉識別兼キャビネット識別用ＩＣタグ１４が認識されたとき、この情報をコンピュータは、扉閉と判断すると同時に電波発射抑制を解除し、再び認識された保管物情報を扉閉直後データとして内容を記憶する。【００３６】この後、コンピュータは、扉開直前データＢと扉閉直後データＣとの差異を処理し、この結果を前記にて認識されたＩＤカード情報と関連付け、だれがキャビネット内の保管物に出し入れを行ったか、又は、何も行わなかったかを判断、表示し履歴を記憶媒体に記憶しておく。更に一度キャビネットから取り出された保管物がキャビネットに戻されていない場合、当該保管物取り出し時のＩＤカードで特定された扉開閉者にコンピュータから注意メールを送信することも可能である。
【図面の簡単な説明】
【００３７】
【図１】本発明のＩＣタグを利用した扉付き収納キャビネットの一実施形態を示すキャビネット斜視図
【図２】同じく収納キャビネットの設置正面図
【図３】同じく収納キャビネット扉に関する部材構成図
【図４】非接触ＩＣタグの平面図
【図５】同じく非接触通信システ厶の全体を示すブロック図
【図６】同じく保管物の出し入れ管理を行う動作フローチャート前半部分
【図７】同じく保管物の出し入れ管理を行う動作フローチャート後半部分
【符号の説明】
【００３８】        １  扉付き収納キャビネット
２ａ、２ｂ、２ｃ  保管物
３ａ、３ｂ、３ｃ  保管物装着非接触ＩＣタグ
１１  収納キャビネット扉
１１ａ  収納キャビネット扉前面部品
１１ｂ、収納キャビネット扉裏面部品
１１ｃ  電磁波シールド材
１２  キャビネット内部認識用アンテナ
１３  ＩＤカード認識用アンテナ
１４  扉開閉識別兼キャビネット識別用ＩＣタグ
１５  通信制御装置
１６  コンピュータ
１７  ＩＤカード
１８  ＩＤカード認識用アンテナ前面板
１９  識別音発生装置
２０  電源ユニット
【図１】
2005041682.tif 000003
【図２】
2005041682.tif 000004
【図３】
2005041682.tif 000005
【図４】
2005041682.tif 000006
【図５】
2005041682.tif 000007
【図６】
2005041682.tif 000008
【図７】
2005041682.tif 000009